(57)【要約】      （修正有）【課題】制御ソフトウェアによりインタフェースカードを制御することができるインタフェースカードの表示装置を提供する。【解決手段】主にインタフェースカード１と、表示装置２と、制御基板３と、制御ソフトウェアとからなる。インタフェースカードの情報は表示装置及び制御基板に連結され、制御ソフトウェアは制御基板内に設けられるとともに、インタフェースカードの情報に連結される。表示装置は、作動温度、ファンの回転速度、処理頻度といったインタフェースカードのハードウェアの状態データを読み取ると同時に表示することができ、使用者が現在のインタフェースカードのハードウェアの状態データを見たい場合、制御ソフトウェアを起動することなく表示装置から直接見ることができる。インタフェースカードの作動効率を変更したい場合、ＢＩＯＳに入ることなく制御ソフトウェアによってインタフェースカードを制御することができ非常に便利である。【選択図】図３
0003214260.tif 000002
【実用新案登録請求の範囲】
【請求項１】
主にインタフェースカードと、表示装置と、制御基板と、制御ソフトウェアと、からなるインタフェースカードの表示装置であって、
前記表示装置は、前記インタフェースカードの情報と連結され、前記インタフェースカードのハードウェアの状態データを読み取ると同時に表示し、
前記制御基板は、前記インタフェースカードの情報と連結され、
前記制御ソフトウェアは、前記制御基板内に設けられるとともに、前記インタフェースカードの情報と連結されることを特徴とする、インタフェースカードの表示装置。
【請求項２】
前記制御基板の情報は表示スクリーンに連結され、前記表示スクリーンは前記制御ソフトウェアを表示することを特徴とする、請求項１に記載のインタフェースカードの表示装置。
【請求項３】
前記ハードウェアの状態データは、作動温度、ファンの回転速度、または処理頻度のうちの１つであることを特徴とする、請求項１に記載のインタフェースカードの表示装置。
【請求項４】
前記制御ソフトウェアは、インタフェースカードのファンの回転速度または処理頻度のうちの１つを制御することを特徴とする、請求項１に記載のインタフェースカードの表示装置。
【請求項５】
前記表示装置は、前記インタフェースカードの一側に接設されることを特徴とする、請求項１に記載のインタフェースカードの表示装置。
【請求項６】
前記表示装置は、ＬＣＤディスプレイまたは７セグメントディスプレイのうちの１つであることを特徴とする、請求項１に記載のインタフェースカードの表示装置。
【請求項７】
前記制御ソフトウェアは、所望のインターフェースに適合するとともに、作動することを特徴とする、請求項１に記載のインタフェースカードの表示装置。
【考案の詳細な説明】
【技術分野】
【０００１】
本考案はインタフェースカードに関し、特に、インタフェースカード上に設けられる表示装置によって、使用者が表示装置から直接インタフェースカードの現在の関連データを見ることができるようにするインタフェースカードの表示装置に関する。
【背景技術】
【０００２】
従来において、グラフィックカードの温度は、重要な作動係数であり、グラフィックカードの作動頻度が上昇すると、それに伴い温度も上昇するため、グラフィックカード上でファンの回転速度を調整し、放熱の機能を強化する必要がある。それにより、グラフィックカードを、安全な状態で作動させることができる。しかしながら、一般のグラフィックカードの構造はグラフィックプロセッサと、複数のメモリと、グラフィックカードインターフェースと、複数のスロットと、放熱装置と、からなる。グラフィックプロセッサは、主にグラフィックカードのコア装置であって、図形と関連のある処理作業を行うのに用いられる。複数のメモリは、グラフィックプロセッサの情報と連結されることで、グラフィックカードのデータの記憶裝置になる。グラフィックカードインターフェースは、ライトニング形式のインターフェースでありコンピュータと接続される。複数のスロットは、外部の裝置に接続するのに用いられる。前記グラフィックプロセッサ上方に位置する放熱装置は、主にグラフィックプロセッサ作動時に生じる熱量を発散させるのに用いられ、前記放熱装置は、ファン及び複数のフィンを備える。さらに、グラフィックカード作動時には往々にして、操作上の必要に合わせて作動係数を監視または変更する必要がある。この作動係数の変更は、グラフィックカード上のＢＩＯＳから調整することができるため、使用者は、まずコンピュータ上のＢＩＯＳを起動させてから、作動係数を調整しなくてはならない。グラフィックカードが作動している時に、作業者がさらにコンピュータ上でグラフィックカードの温度を見て、温度が高すぎる場合も、コンピュータ上でファンの回転速度を制御する。このような操作は、コンピュータの操作に相当詳しい人でなければできず、一般の人には実行できない。特にＢＩＯＳの操作が適切でない場合、往々にしてＢＩＯＳに詳しくない人にとっては、変更を元に戻すことが難しいため、操作を難しくしている。
【考案の概要】
【考案が解決しようとする課題】
【０００３】
本考案は、使用者が制御ソフトウェアを起動することなく、表示装置上から直接インタフェースカードの現在のハードウェアの状態データを見ることができる、非常に便利な表示装置を提供することを目的とする。
【課題を解決するための手段】
【０００４】
本考案は、上述の目的を達成するため、主にインタフェースカードからなる。インタフェースカードの情報は、表示装置及び制御基板に連結され、表示装置は、インタフェースカードのハードウェアの状態データを読み取ることができるとともに表示する。さらに、前記制御基板内にはさらに制御ソフトウェアが設けられ、制御ソフトウェアは、インタフェースカードの情報と連結され、インタフェースカードの作動効率を制御する。これにより、使用者がインタフェースカードの作動効率を制御したい場合、マイクロソフト・ウィンドウズ（登録商標）（Ｍｉｃｒｏｓｏｆｔ）（登録商標）のインターフェース上で制御ソフトウェアを起動させることができ、制御ソフトウェアにより直接インタフェースカードを設定することができるため、非常に便利である。さらに重要な点として、使用者がただ単にインタフェースカードの現在のハードウェアの状態データ（作動温度、ファンの回転速度、または処理頻度）を見たいだけの場合、制御ソフトウェアを起動しない前提のもと、表示装置から直接見ることができ、非常に便利である。このように、コンピュータのＢＩＯＳに入ることなく、インタフェースカードの作動効率を設定することができるとともに、制御ソフトウェアを起動することなく、表示装置から直接見ることができる。
【考案の効果】
【０００５】
上述の技術により、従来のグラフィックカードに存在する、作動係数を変更するまたは係数を見る場合、ＢＩＯＳに入って設定したり見たりしなければならず、このような操作はコンピュータの操作に相当詳しい人が行う必要があり、一般の人には実行できず、特にＢＩＯＳの操作が適切でない場合、往々にしてＢＩＯＳに詳しくない人にとっては、変更を元に戻すことが難しいため、操作を困難にしているという問題を解決し、本考案の上述の長所における実用進歩性を達成することができる。
【図面の簡単な説明】
【０００６】
【図１】本考案の比較的好ましい実施例におけるインタフェースカードの斜視図である。
【図２】本考案の比較的好ましい実施例における構造ブロック図である。
【図３】本考案の比較的好ましい実施例における実施図である。
【図４】本考案の比較的好ましい実施例における表示装置を見た状態を示した図である。
【図５】本考案の比較的好ましい実施例における制御ソフトウェアの操作を示した図である。
【考案を実施するための形態】
【０００７】
参照する図１、図２、図３は、本考案の比較的好ましい実施例におけるインタフェースカードの斜視図、構造ブロック図、実施図である。図から明らかな通り、本考案は、インタフェースカード１と、表示装置２と、制御基板３と、制御ソフトウェア５と、からなる。
【０００８】
前記表示装置２は、インタフェースカード１の一側に接設されるとともに、前記インタフェースカード１の情報と連結され、前記表示装置２は、前記インタフェースカード１のハードウェアの状態データを読み取るとともに表示する。前記ハードウェアの状態データは、作動温度、ファンの回転速度、または処理頻度のうちの１つである。
【０００９】
前記制御基板３は、前記インタフェースカード１の情報と連結され、制御基板３の情報は、表示スクリーン４に連結され、前記表示スクリーン４は、下記の制御ソフトウェア５を表示する。
【００１０】
前記制御ソフトウェア５は、前記制御基板３内に設けられるとともに、前記インタフェースカード１の情報と連結される。制御ソフトウェア５は、インタフェースカード１のファンの回転速度または処理頻度のうちの１つを制御することができる。
【００１１】
さらに、前記表示装置２は、ＬＣＤディスプレイまたは７セグメントディスプレイのうちの１つである。
【００１２】
合わせて参照する図１、図２、図３、図４、図５は、本考案の比較的好ましい実施例におけるインタフェースカードの斜視図、構造ブロック図、実施図、表示装置を見た状態を示した図、制御ソフトウェアの操作を示した図である。図から明らかな通り、使用者がインタフェースカード１（本実施例ではコンピュータグラフィックカードを例とする）の現在の作動温度、ファンの回転速度、または処理頻度等を見たい場合、インタフェースカード１のそばの表示装置２から直接見ることができ、表示装置２上にはすぐにインタフェースカード１の現在の作動温度、ファンの回転速度、または処理頻度等のハードウェアの状態データが表示される。当然のことながら、使用者は、制御ソフトウェア５によって表示したいハードウェアの状態データを表示装置２が表示するように設定することができ、作動温度のみを表示する、またはファンの回転速度のみを表示する等、使用者の好みに合わせて自分で設定することができる。また同時に表示されるようにすることもできる。文字通り、使用者は、制御ソフトウェア５を起動しない前提のもと、表示装置２からインタフェースカード１のハードウェアの状態データを見ることができ、非常に便利である。
【００１３】
さらに、使用者がインタフェースカード１の作動効率を変更したい場合、同様に制御ソフトウェア５によってインタフェースカード１を設定することができ、新たに再起動してＢＩＯＳに入る必要がないため、非常に便利である。
【００１４】
さらに、制御ソフトウェア５は、マイクロソフト・ウィンドウズ（登録商標）（Ｍｉｃｒｏｓｏｆｔ）（登録商標）のインターフェースに適合するとともに作動する。文字通り、制御ソフトウェア５を、一般のＢＩＯＳシステムではなく、マイクロソフト・ウィンドウズ（登録商標）のもとで作動させることができるため、利便性と実用性が大幅に向上する。
【００１５】
さらに、前記表示スクリーン４は、コンピュータの表示スクリーンまたはポータブル電子機器の表示スクリーンであることができる。
【００１６】
参照した全ての図に示す通り、本考案を使用すると、従来技術と比較して以下に挙げる長所が存在する。
【００１７】
表示装置２によって、使用者は表示装置２から直接インタフェースカード１の現在のハードウェアの状態データを見ることができ、制御ソフトウェア５を起動する必要がないため、非常に便利である。
【符号の説明】
【００１８】
１  インタフェースカード
２  表示装置
３  制御基板
４  表示スクリーン
５  制御ソフトウェア
【図１】
0003214260.tif 000003
【図２】
0003214260.tif 000004
【図３】
0003214260.tif 000005
【図４】
0003214260.tif 000006
【図５】
0003214260.tif 000007